(57)【要約】【課題】ろ過層の洗浄時に海中に噴き上げられた懸濁物質を効率良く、速やかに回収する。【解決手段】洗浄管５７からろ過層内５２にエアー又は海水を噴出し、ろ過層５２を洗浄したときにろ過層５２の上方水域Ｓ１に噴き上げられた懸濁物質を含む濁水を吸引して回収する吸引手段２１と、この吸引手段２１をろ過層５２の上方水域Ｓ１に吊設した状態で、取水エリア内の所要の位置に移動可能とする移動手段３１とを備えた移動式懸濁物質回収装置１１である。【効果】潮流や波浪による海水流動が少ない海域であってもろ過層を設置できるようになる。海水の浸透速度を高速にした場合でも、ろ過層の目詰まりを確実に防止し、高速の浸透速度を維持できる。【選択図】図１
2014233700.tif 000002
【特許請求の範囲】
【請求項１】
取水配管と洗浄管が埋設されたろ過層を少なくとも１つ以上備えた取水エリアを有する海水浸透取水設備で用いられ、
前記洗浄管から前記ろ過層内にエアー又は海水を噴出し、前記ろ過層の目詰まりの原因となる懸濁物質を洗浄したときに、前記ろ過層の上方水域に噴き上げられた前記懸濁物質が含まれる濁水を吸引して回収する吸引手段と、
前記吸引手段を前記ろ過層の上方水域に吊設した状態で、前記取水エリア内の所要の位置に移動可能とする移動手段と、
を備えたことを特徴とする移動式懸濁物質回収装置。
【請求項２】
前記吸引手段は、前記懸濁物質とろ過材の沈降速度差を利用することにより、前記濁水から前記懸濁物質を選択的に吸引することを特徴とする請求項１に記載の移動式懸濁物質回収装置。
【請求項３】
前記移動手段は、沿岸部に敷設されたレールに沿って移動可能な橋脚部と、前記吸引手段を上下に昇降して所要の高さ位置で吊設するリフター部とを備え、
前記取水エリアは前記沿岸部に近接して設置すると共に、
前記取水エリアを他の海域から区画して前記懸濁物質の拡散を防止するために、前記レールの敷設方向と同方向に、第１区画壁を設けたことを特徴とする請求項１又は２に記載の移動式懸濁物質回収装置。
【請求項４】
前記第１区画壁と交差する向きに１又は複数の第２区画壁をさらに設けると共に、前記吸引手段は、前記第２区画壁の周辺に集まる懸濁物質を重点的に吸引して回収することを特徴とする請求項３に記載の移動式懸濁物質回収装置。
【発明の詳細な説明】
【技術分野】
【０００１】
本発明は、海水浸透取水設備で用いられ、取水エリアを移動しながらろ過層の洗浄時に海水中に噴き上げられた懸濁物質を含む濁水を適時吸引し、ろ過層の目詰まりの原因となる懸濁物質を効率的に回収する移動式懸濁物質回収装置に関するものである。
【背景技術】
【０００２】
近年、海水淡水化プラントなどの海水浸透取水設備において、蒸発型造水法に代わり、逆浸透膜（ＲＯ膜）による逆浸透法が主流になってきている。この逆浸透法の場合、海水中に含まれる不純物によって逆浸透膜上でファウリング（目詰まり）が生じると、ろ過性能が低下するので、淡水化の前処理工程で、不純物の少ない清浄な海水を得ることが必要となる。
【０００３】
海水を取水する方法として、現在は、図８に示すように、例えば海底に設けた取水口１から導水管２を介して海水を取水する直接取水法が多く採用されている。図８中、３は海水を取水するためのポンプを、４は取水スクリーンを示している。
【０００４】
しかし、直接取水法は、海水と同時にごみ、懸濁物、生物等を全て取水するので、クラゲや赤潮の異常発生時、油の流出事故時、高波による濁度の増大時には、取水を停止しなければならない場合がある。また、直接取水法は、取水口や導水管へのフジツボ、イガイ等の海洋生物の付着が激しいため、定期的な清掃が必要である。また、海洋生物の付着防止のために海水中に例えば塩素等の薬品を投入した場合は、環境汚染や塩素を遠因とした逆浸透膜でのバイオファウリング発生の問題がある。さらに、取水した海水を逆浸透膜で処理する場合には、凝集剤を添加した海水をろ過するろ過施設が必要となるので、ろ過施設に溜まった汚泥を処理する施設が必要になる。
【０００５】
そこで、近年、取水する海水の前処理として、凝集剤等の薬品を使用しないで、図９に示すように、海底のろ過層５内を浸透してくる海水を取水する間接取水法が注目されている。
【０００６】
この間接取水法は、汀線より数百m、水深十数mの沖合にて海底を掘削し、その掘削部に図１０に示すように、支持砂利層５ａ及び５ｂ、砂層５ｃからなるろ過層５を形成しながら、再び同じ海底面５ｄまで埋め戻すことで、支持砂利層５ａ中に埋設した取水配管６から、ろ過浸透して浄化された海水を取水する方法である（例えば特許文献１）。この間接取水法は、上述した直接取水法の問題は一切発生しないが、イニシャルコストが高いことと、ろ過層の表層や内部に例えばシルトなどの有機又は無機の懸濁物質が捕捉されることで目詰まりが生じて取水量が低下する問題により、普及拡大が遅れている。
【０００７】
具体的には、間接取水法の一例として、海底のろ過層内に発現される海水浸透速度を１〜８m／日とし、前記ろ過層の水深は、当該ろ過層の表層部分の砂が５０cm以上移動する完全移動限界水深よりも深く、かつ１cm以上移動する表層移動限界水深よりも浅くする海水取水システムが提案されている（例えば特許文献２）。しかし、この特許文献２で提案された海水取水システムは、海水の浸透取水速度が１〜８m／日という非常に緩速なろ過速度であるため、短期間で大量の海水を取水するには広大な面積を必要とし、工事規模が大きくなり、イニシャルコストが高くなる。
【０００８】
加えて、特許文献２で提案された海水取水システムは、ろ過層の表面に堆積した目詰まりの原因となる懸濁物質を自然の波や流れを利用して取り除くものであるため、ろ過層の設置場所は、潮流や波浪による海水の流動が活発な海域に限られていた。
【０００９】
そこで、本出願人らは、前者の課題を解決するために、海水浸透速度を４００m／日以下のできるだけ大きい速度に高速化することで、短期間での取水量が大量になり、従来に比べて取水面積を大幅に削減し、工事規模を格段に減少させることが可能な海水の浸透ろ過方法を提案した（特許文献３）。
【００１０】
また、後者の課題については、波浪や潮流による海水流動が少ない海域にろ過層を設置する場合、ろ過層に捕捉された目詰まりの原因となる懸濁物質は人為的に取り除いて洗浄する必要がある。この人為的な洗浄装置に関し、従来、河川においては、図１１に示すように、河川７ａの河床下に砂利層７ｃ及び砂層７ｂを埋め戻して構成される集水埋渠の目詰まりを防止するために、砂利層７ｃにエアーを噴出可能な孔９ａを有した洗浄管９を埋設する場合がある。なお、８は、ろ過浸透により浄化された水を集水する集水管を示している。
【００１１】
しかし、仮に、波浪や潮流による海水流動が少ない海域のろ過層に、図１１に示すような洗浄管を適用した場合、洗浄時にろ過層の上方に噴き上げられた懸濁物質を含む濃度の高い濁水がろ過層の周辺に漂い、環境上問題となる場合がある。
【００１２】
また、本出願人らが特許文献３で提案したように、海水浸透速度を例えば１００m／日程度にまで高速化すると、ろ過層の内部に目詰まりが進行しやすくなり、かつ、目詰まりが発生する頻度も高くなる。しかし、洗浄管からエアーを噴出してろ過層を洗浄している間は海水を取水できないため、単に洗浄頻度を高くするなどの方法で目詰まりを防止するのみでは、結果的に取水量の低下を招いてしまう。加えて、洗浄時にろ過層の上方に噴き上げられた懸濁物質を速やかに取り除いて、取水エリア外に効率的に回収できなければ、ろ過層の表面に目詰まりの原因となる懸濁物質が再び堆積し、高速の浸透速度を維持できなくなってしまう。
【００１３】
なお、ろ過層の表面にシルトなどの懸濁物質が堆積すると、海水が均一にろ過されなくなり、一部の決まった経路から海水が吸収されて抜け道ができるチャネリング現象が生じるおそれもある。このチャネリング現象が発生すると、ろ過層のろ過性能は著しく低下する。仮に、シルトなどの懸濁物質を含む海水が後処理工程に送られてＵＦユニット等の後段の設備においても目詰まりが発生すると、メンテナンスのために一時的に運転を停止せざるを得ないなど、重大な問題となる虞がある。
【先行技術文献】
【特許文献】
【００１４】
【特許文献１】特開２００４−３３９９３号公報
【特許文献２】特許第３８９９７８８号公報
【特許文献３】特開２０１２−２４６７１１号公報
【発明の概要】
【発明が解決しようとする課題】
【００１５】
本発明が解決しようとする課題は、従来は、ろ過層の洗浄時に海中に噴き上げられた懸濁物質を効率良く速やかに回収する手段がなかったため、ろ過層の設置場所が潮流や波浪による海水の流動が活発な海域に限定され、また、海水の浸透速度を高速に維持することが困難となる場合があった点である。
【課題を解決するための手段】
【００１６】
本発明は、波浪や潮流による海水の流動が少ない海域にもろ過層を設置可能とし、周辺の環境を汚染する虞を低減することを目的としている。加えて、本発明は、ろ過層の浸透面に対する洗浄を適時行い、洗浄時に生じる懸濁物質は速やかに取り除いて取水エリア外に効率的に回収することで、海水の浸透速度を高速に維持することを目的とするものである。
【００１７】
本発明の移動式懸濁物質回収装置は、
取水配管と洗浄管が埋設されたろ過層を少なくとも１つ以上備えた取水エリアを有する海水浸透取水設備で用いられ、
前記洗浄管から前記ろ過層内にエアー又は海水を噴出し、前記ろ過層の目詰まりの原因となる懸濁物質を洗浄したときに、前記ろ過層の上方水域に噴き上げられた前記懸濁物質が含まれる濁水を吸引して回収する吸引手段と、
前記吸引手段を前記ろ過層の上方水域に吊設した状態で、前記取水エリア内の所要の位置に移動可能とする移動手段と、
を備えたことを最も主要な特徴としている。
【００１８】
本発明によれば、洗浄時にろ過層の上方水域に噴き上げられた懸濁物質は、移動手段により取水エリア内の必要位置まで移動可能とされた吸引手段によって吸引され、取水エリア外に回収されるので、懸濁物質を含む濁水が取水エリアの周辺に漂流することや、懸濁物質が再びろ過層の表面に堆積することを防止できる。
【発明の効果】
【００１９】
本発明によれば、取水エリアの全域に亘って効率良く懸濁物質を回収できるので、潮流や波浪による海水流動が少ない海域であってもろ過層を設置できる。また、本発明によれば、取水エリアの全域に亘って懸濁物質の洗浄及び回収効果が高まるので、海水の浸透速度を高速にした場合でも、ろ過層の目詰まりを確実に防止できる。そのため、本発明を用いた場合は、海水の浸透速度が高速に維持されるので、取水エリアの面積は従来よりも大幅に削減できる。
【図面の簡単な説明】
【００２０】
【図１】本発明の移動式懸濁物質回収装置（第１実施例）の縦断面図である。
【図２】本発明の移動式懸濁物質回収装置（第１実施例）の平面図である。
【図３】ろ過層に埋設される配管の形状を示す図で、（ａ）は取水配管の平面図、（ｂ）は洗浄管の平面図である。
【図４】海水中における粒子の沈降速度を粒径別に比較したグラフである。
【図５】本発明の移動式懸濁物質回収装置（第２実施例）の縦断面図である。
【図６】本発明の移動式懸濁物質回収装置（第３実施例）の平面図である。
【図７】本発明の移動式懸濁物質回収装置（第３実施例の変形例）の平面図である。
【図８】従来の直接取水法の概略説明図である。
【図９】従来の間接取水法の概略説明図である。
【図１０】取水配管が埋設されたろ過層の概略構成図である。
【図１１】河川において利用されている洗浄管の説明図である。
【発明を実施するための最良の形態】
【００２１】
本発明の移動式懸濁物質回収装置は、洗浄管からろ過層内にエアー又は海水を噴出し、前記ろ過層の目詰まりの原因となる懸濁物質を洗浄したときに、前記ろ過層の上方水域（ろ過層５１の上方の海中ともいう）に噴き上げられた前記懸濁物質が含まれる濁水を吸引して回収する吸引手段と、前記吸引手段を前記ろ過層の上方水域に吊設した状態で、取水エリア内の所要の位置に移動可能とする移動手段と、を備えている。
【００２２】
ここで、吸引手段は、懸濁物質とろ過材の沈降速度差を利用し、前記濁水から懸濁物質を選択的に吸引するように構成することが好ましい。この構成を採用した場合、ろ過性能を維持するために必要なろ過材はできるだけ吸引しないようにしてろ過層の表面に戻すことができると共に、目詰まりの原因となる懸濁物質のみを選択的に吸引し、取水エリア外に回収できるので、ろ過層のろ過性能が低下しない。
【実施例】
【００２３】
以下、本発明の実施形態を、図１〜図７を用いて詳細に説明する。図１〜図２において、１１は、第１実施例の移動式懸濁物質回収装置を示している。
【００２４】
先ず、移動式懸濁物質回収装置１１が設置される海水浸透取水設備５１について説明する。海水浸透取水設備５１の取水エリア６１は、図１に示すように、海底を掘削し、その掘削部に支持砂利層と砂層を形成しながら再び同じ海底面まで埋め戻すことにより形成したろ過層５２を有している。本実施例のろ過層は支持砂利層と砂層を形成しているが、他の例として支持砂利層と砂層とアンスラサイト層を形成しても良い（この場合、表面から、アンスラサイト、砂、砂利の順になっている）。ろ過層の構成としていくつか挙げたが、これらに限定しない。本実施例のろ過層５２は、海水浸透速度を例えば２５m／日以上４００m／日以下の範囲で高速化したものである。
【００２５】
ろ過層５２には、取水配管５３（集水管ともいう）が埋設されている。取水配管５３は、ろ過層５２をろ過浸透して浄化された海水を取水する配管であり、その構成の一例は、図３（ａ）に示す通りである。
【００２６】
本実施例の取水配管５３は、主管５３ａと取水孔が多数設けられた枝管５３ｂで構成されており、主管５３ａを集水ポンプと接続することにより、ろ過層５２をろ過浸透して浄化された海水を取水することができる。取水配管５３に取水された海水は、送水管５４を通じて取水ピット５５に送られる。取水ピット５５に一時的に格納された海水は、取水ポンプ５６により適時、外部に送水される。
【００２７】
ろ過層５２には、取水配管５３よりも上方に、洗浄管５７が埋設されている。洗浄管５７は、ろ過層５２の内部に取り込まれた懸濁物質を撹拌し、ろ過層５２の表面や内部に堆積した懸濁物質と共にろ過層５２の上方水域Ｓ１に噴き上げて洗浄する配管であり、その構成の一例は、図３（ｂ）に示す通りである。
【００２８】
本実施例の洗浄管５７は、主管５７ａと孔５７ｂａが設けられた枝管５７ｂで構成されている。この洗浄管５７は、設置時に孔５７ｂａが上向きとなるように、ろ過層５２内に設置し、主管５７ａをエアコンプレッサーと接続することにより定期的に孔５７ｂａからエアーを噴出させ、ろ過層５２の内部又は表層に存在する目詰まりの原因となる懸濁物質を撹拌して洗浄するものである。なお、５８は、洗浄管５７に空気を送り込むための配管を示している。
【００２９】
なお、上記の説明では、洗浄管５７からエアーを噴出させる実施例について述べたが、本発明では、洗浄管５７の孔５７ｂａから噴出させる物質は、エアーに限らず、海水、水あるいは空気混入水であっても良い。
【００３０】
次に、本発明の主要部分である移動式懸濁物質回収装置１１の構成を説明する。移動式懸濁物質回収装置１１は、洗浄管５７からろ過層５２内に水又はエアーを噴出し、ろ過層５２の目詰まりの原因となる懸濁物質を洗浄したときに、ろ過層５２の上方水域Ｓ１に噴き上げられた懸濁物質が含まれる濁水を吸引して回収する吸引手段２１と、この吸引手段２１をろ過層５２の上方水域Ｓ１に吊設した状態で、取水エリア内の所要の位置に移動可能とする移動手段３１とで構成される。
【００３１】
移動手段３１は、沿岸部５９に敷設されたレール３２に沿って移動可能とされた橋脚部３３と、吸引手段２１を上下に昇降して所要の高さ位置で吊設するリフター部３４とを有している。リフター部３４は、吸引手段２１を吊るためのワイヤ３６とアーム３７を備えている。
【００３２】
３５は、橋脚部３３の移動、ワイヤ３６の巻き上げ又は巻き下し、洗浄管５７と接続されたエアコンプレッサーに対するエアー送出の指令、吸引手段２１に対する濁水の吸引指令などを制御する制御部を示している。ろ過層５２は、洗浄管５７からエアーを噴出させることにより、内部から逆洗浄される。
【００３３】
吸引手段２１は、逆洗浄時にろ過層５２の上方水域Ｓ１に噴き上げられた懸濁物質を含む濁水を受け止める板部材２２と、この板部材２２で受け止めた懸濁物質を含む濁水を吸引する水中ポンプ２３とを備えている。図１の例では、板部材２２の中央に開口部が設けられており、この開口部を通じて水中ポンプ２３により吸引された濁水は、送水管２４を通じて沿岸部５９に送られ、沿岸部５９の排水溝６０に排出される。
【００３４】
なお、上記の説明では、板部材２２の中央に開口部を設け、水中ポンプ２３を１つ設ける実施例について述べたが、開口部を設ける位置や水中ポンプ２３の取付け数は、図１の例に限るものではない。
【００３５】
図２は、図１を平面の方向から見た図である。本実施例の移動式懸濁物質回収装置１１が設置される海水浸透取水設備５１は、取水配管５３と洗浄管５７が埋設されたユニット式のろ過層５２が多数並設された取水エリア６１を有している。
【００３６】
ろ過層５２と取水エリア６１のサイズの一例を説明すると、次の通りである。先ず、ろ過層５２のサイズは、図２中、符号Ａで示した横方向の長さが３m、符号Ｂで示した縦の長さが１０mである。また、取水エリア６１は、ろ過層５２を３５個並設したものであるため、図２中、符号Ｃで示す横方向の長さは３m×３５＝１０５mである。なお、図２においては、中間部のろ過層５２は図示を省略している。
【００３７】
次に、移動式懸濁物質回収装置１１の動作について説明する。本発明の移動式懸濁物質回収装置１１は、濁水を含む海水を吸引しながら、取水エリア６１内を所要の位置に移動可能な自動自走式の装置である。
【００３８】
移動式懸濁物質回収装置１１は、予め設定された走行プログラムに従い、設定時刻になると移動手段３１が作動し、これにより橋脚部３３が沿岸部５９に敷設されたレール３２に沿って水平方向に移動すると共に、リフター部３４によって吊設された吸引手段２１が必要に応じて上下方向に昇降する。その結果、吸引手段２１は、特定のろ過層５２の上方水域Ｓ１の、濁水を吸引するのに最も適した場所に位置付けられる。
【００３９】
制御部３５は、吸引手段２１の位置付けが完了するタイミングに合わせて、洗浄管５７と接続されたエアコンプレッサーに対しエアーの送出を指令する。また、制御部３５は、洗浄管５７からエアーが噴出されてから一定時間が経過したタイミングで、吸引手段２１に対し濁水の吸引を指令する。
【００４０】
ここで、ろ過層５２の上方水域Ｓ１に噴き上げられた濁水中には、目詰まりの原因となるシルト等の懸濁物質のみならず、ろ過層５２のろ過性能を維持するために必要なろ過材（例えば、砂、アンスラサイト、ガーネット、ケイ砂等）も含まれる。
【００４１】
そこで、本実施例では、吸引手段２１は、懸濁物質とろ過材の沈降速度差を利用し、ろ過層５２の上方水域Ｓ１に噴き上げられた濁水中から懸濁物質を選択的に吸引する構成を採用した。
【００４２】
具体的には、図４のグラフに示すように、ろ過材のうちの砂は、粒径が例えば０．４〜０．６ｍｍの範囲であって沈降速度が速いため、例えば１５秒後には６０ｃｍ以上沈降しているが、ろ過層５２の目詰まりの原因となる懸濁物質は、粒径が例えば０．０４ｍｍ以下であって沈降速度が遅いため、例えば１５秒後においても浮遊状態にある。
【００４３】
従って、吸水手段２１を位置付ける際のろ過層５２の表面からの距離と、水中ポンプ２３を作動させるタイミングを調整することにより、懸濁物質のみを選択的に吸引し、ろ過材はできるだけ吸引せずにろ過層５２の表面に戻すことが可能となる。よって、この構成を採用した場合、ろ過層５２のろ過性能が低下しない。
【００４４】
さらに言えば、上記沈降速度差を利用すれば、移動手段３１の移動速度、吸引手段２１の吸引力、吸水手段２１を位置付ける際のろ過層５２の表面からの距離を適切に設定することにより、ろ過層５２の浸透面に残されるろ過材の粒径を概ね制御することも可能になる。これにより、その海域の濁質状況等に応じて、ろ過層５２の浸透面（最表層部）のろ過材の粒径を最適なものとすることができる。
【００４５】
移動式懸濁物質回収装置１１は、１つ目のろ過層５２に対する処理が完了すると、次のろ過層５２まで移動し、１つ目のろ過層５２と同様、次のろ過層５２の水又はエアーによる洗浄と、海水Ｓ１中に噴き上げられた濁水の吸引を行う。そして、以後は走行プログラムに従い、ろ過層５２間の移動、ろ過層５２の水又はエアーによる洗浄、濁水の吸引の動作を繰り返す。なお、ろ過層５２間を移動中の間は吸引手段２１を停止させても良いが、必要に応じて、移動手段３１を水平方向に移動させながら吸引手段２１を作動させることも可能である。
【００４６】
以上の第１実施例の構成によれば、洗浄時にろ過層５２の上方水域Ｓ１に噴き上げられた懸濁物質は、移動手段３１により取水エリア６１内の必要位置まで移動可能とされた吸引手段２１によって吸引され、取水エリア６１以外に回収されるので、懸濁物質を含む濁水が取水エリア６１の周辺に漂流することや、懸濁物質が再びろ過層５２の表面に堆積することを防止できる。
【００４７】
次に、図５を参照して、第２実施例の移動式懸濁物質回収装置１２の構成を、既に説明した第１実施例の移動式懸濁物質回収装置１１とは異なる点を中心に説明する。
【００４８】
移動手段３１は、沿岸部５９に敷設されたレール３２に沿って移動可能とされた橋脚部３３と、吸引手段２１を上下に昇降して所要の高さ位置で吊設するリフター部３４とを備えている。また、取水エリア６１は、沿岸部５９に近接して設置されている。これらの点は、第１実施例と共通している。
【００４９】
第２実施例の移動式懸濁物質回収装置１２は、上記の構成に加え、取水エリア６１を、取水エリア６１以外の他の海域Ｓ２から区画して懸濁物質の拡散を防止するために、前記レール３２の敷設方向と同方向に、第１区画壁４１を設けた点に追加的な特徴を有するものである。
【００５０】
上記第２実施例の構成によれば、取水エリア６１を構成する各ろ過層５２の上方水域Ｓ１と、取水エリア６１以外の他の海域Ｓ２とは、第１区画壁４１によって物理的に遮断される。よって、ろ過層５２の洗浄時に、懸濁物質を含む濁水が取水エリア６１の周辺に漂流することは、より確実に防止される。このとき懸濁物質を系外に流すために強制的に流れを発生させてもよい。
【００５１】
また、図６を参照して、第２実施例をさらに改良した第３実施例の移動式懸濁物質回収装置１３の構成を説明する。第３実施例の構成においても、レール３２の敷設方向と同方向に第１区画壁４１を設けた点は、第２実施例と共通している。
【００５２】
第３実施例の移動式懸濁物質回収装置１３は、上記の構成に加え、第１区画壁４１と交差する向きに１又は複数の第２区画壁４２をさらに設けると共に、吸引手段２１は、前記第２区画壁４２の周辺に集まる懸濁物質を重点的に吸引して回収する点に追加的な特徴を有するものである。
【００５３】
具体的には、第２区画壁４２は、例えば図６に示すように、取水エリア６１の中央部付近に１つ設けると共に、取水エリア６１の左右両端部は区画壁を設けずに外部に開放された状態とする。このような構成とした場合、海流は、取水エリア６１の左右両端部から第２区画壁４２を設けた中央部に向けて、矢印Ｘ１，Ｘ２の方向に流入するので、洗浄の際にろ過層５２の上方水域Ｓ１に漂う懸濁物質を、第２区画壁４２周辺の中央部に集めることができる。
【００５４】
従って、第３実施例の構成を採用した場合は、取水エリア６１の全域に亘って同じ頻度で懸濁物質を吸引する必要はなくなり、懸濁物質が集まりやすい第２区画壁４２周辺の中央部付近を重点的に吸引すれば良いことになる。よって、第３実施例の構成は、第１、第２実施例と比較すると、懸濁物質をより効率的に吸引し回収可能なものである。
【００５５】
図７は、第３実施例の変形例を示す図である。この変形例にかかる移動式懸濁物質回収装置１４では、取水エリア６１の中央部よりも左右両端寄りの位置に、第２区画壁４３，４４を２つ設ける。また、取水エリア６１の左右両端部は区画壁を設けずに外部に開放された状態とする。更に、第２区画壁４３，４４の間に位置する第１区画壁４１の一部を切り欠いて、外部に開放された開口部４５を設ける。
【００５６】
図７の構成の場合、海流は、取水エリア６１の左右両端部から第２区画壁４３，４４の夫々に向けて、矢印Ｘ１，Ｘ２の方向に流入すると共に、中央の開口部４５から第２区画壁４３，４４の夫々に向けて、矢印Ｙ１，Ｙ２の方向にも流入するので、懸濁物質は、第２区画壁４３，４４の夫々の周辺部に集めることができる。
【００５７】
従って、図７の構成を採用した場合も、取水エリア６１の全域に亘って同じ頻度で懸濁物質を吸引する必要はなくなる。懸濁物質は第２区画壁４３，４４の夫々の周辺部に集まるので、第２区画壁４３，４４の夫々の周辺部を重点的に吸引すれば良い。
【００５８】
以上の本発明の構成によれば、洗浄時にろ過層５２の上方水域Ｓ１に噴き上げられた懸濁物質を含む濁水を速やかに吸引し、効率良く回収できるので、潮流や波浪による海水流動が少ない海域であってもろ過層５２を設置できるようになる。また、本発明によれば、取水エリア６１の全域に亘って懸濁物質の洗浄及び回収効果が高まるので、海水の浸透速度を高速にした場合でも、ろ過層５２の目詰まりを確実に防止できて、チャネリング現象が生じる虞もなくなる。
【００５９】
また、本発明は、海水の浸透速度を高速に維持できるので、取水エリアの面積を従来よりも大幅に削減できるという副次的な効果もある。例えば１０万t／日の取水量が求められる取水設備の場合、浸透速度が例えば５m／日の従来の浸透取水法であれば、必要な取水エリアの面積は20,000ｍ2 となるが、浸透速度を例えば１００m／日の高速に維持できれば、必要な取水エリアの面積は従来の１／２０の1,000ｍ2 にまで格段に削減できる。よって、設置時の工事も小規模化が可能になり、工事時の周囲環境への影響も格段に緩和できる。
【００６０】
本発明は、前記の例に限るものではなく、各請求項に記載の技術的思想の範疇であれば適宜実施の形態を変更しても良いことは言うまでもない。
【００６１】
例えば、上記の実施例では、１つの取水エリア６１に対して本発明の移動式懸濁物質回収装置を１台ないし２台設置する例を開示したが、設置台数はこれに限らない。本発明の移動式懸濁物質回収装置の設置台数は、取水エリア６１の面積と、装置１台あたりの懸濁物質の回収能力に応じて、適宜最適な台数を決定すれば良い。
【００６２】
また、上記の実施例では、板部材２２と水中ポンプ２３とで構成される吸引手段２１の例を開示したが、吸引手段２１の構成はこれに限らない。例えば、吸引手段２１にも補助的な洗浄機構を設け、洗浄管５７による逆洗浄を組み合わせて、洗浄効果をより高めるように構成しても良い。
【００６３】
吸引手段２１に設ける補助的な洗浄機構の例としては、ジェットノズルによる水流式の撹拌手段や、スクレーパー、回転翼、スパイラル翼などを動作させる機械式の撹拌手段などが挙げられる。ジェットノズルを用いる場合は、水流式に限らず、空気混流式のジェットノズルを用いても良い。
【符号の説明】
【００６４】
１１  移動式懸濁物質回収装置
２１  吸引手段
３１  移動手段
３２  レール
３３  橋脚部
３４  リフター部
４１  第１区画壁
４２，４３，４４  第２区画壁
５１  海水浸透取水設備
５２  ろ過層
５３  取水配管
５７  洗浄管
５９  沿岸部
６１  取水エリア
Ｓ１  上方水域
【図１】
2014233700.tif 000003
【図２】
2014233700.tif 000004
【図３】
2014233700.tif 000005
【図４】
2014233700.tif 000006
【図５】
2014233700.tif 000007
【図６】
2014233700.tif 000008
【図７】
2014233700.tif 000009
【図８】
2014233700.tif 000010
【図９】
2014233700.tif 000011
【図１０】
2014233700.tif 000012
【図１１】
2014233700.tif 000013